(57)【要約】【課題】本発明は内装職人用筆袋を開示した。【解決手段】筆袋外殼を含み、回転ブロックを回して回転スリーブを同期に回転連動させ、回転スリーブがねじ山による係合を通じてねじ山台を上に移動連動させ、鉛筆を上に移動連動させ、鉛筆を取り替える必要がある時、ねじ山台を頂端まで移動させた後に引掛りブロックを反転させ鉛筆との引掛りを解除することができる。発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくい。【選択図】図１
2020175072.tif 000002
【特許請求の範囲】
【請求項１】
筆袋外殼を含み、前記筆袋外殼の底部には長さを測れる測り部品が設けられ、前記測り部品は前記筆袋外殼の中に位置している巻きチャンバを含み、前記巻きチャンバの上下壁には対称的な回転輪が設けられ、前記回転輪の間には糸巻き輪が回転できるように取り付けられ、前記巻きチャンバの上方には回しチャンバが設けられ、前記巻きチャンバの底壁には回転軸が回転できるように取り付けられ、前記回転軸には糸巻き柱が設けられ、前記回転軸が前記回しチャンバの中に入り、前記回しチャンバの底壁の中にはラチェットスリーブが回転できるように取り付けられ、前記ラチェットスリーブと前記回転軸とがラチェットにより係合され、前記ラチェットスリーブの外側には均一に分布されている回しロッドが設けられ、前記回しチャンバの右側壁にカウント部品が設けられ、前記カウント部品は通り過ぎた前記回しロッドの個数を記録することができ、前記筆袋外殼の中には伸縮部品が設けられ、前記伸縮部品は鉛筆と前記鉛筆を固定できるねじ山台とを含み、前記ねじ山台の上下移動により前記鉛筆を同期に伸縮連動させ、前記伸縮部品の右側には各種類のねじを締めるねじ回し部品が設けられ、前記ねじ回し部品は挿し連結ヘッドとスライドケースとを含み、前記挿し連結ヘッドの中には下方に開口した挿し連結穴が設けられ、前記スライドケースの中には三列の各種類のねじ回しヘッドが設けられ、前記ねじ回しヘッドと前記挿し連結穴とが挿し連結されることができ、各種類のねじに対応でき、前記筆袋外殼の外側端面には引掛りバックルが設けられ、前記筆袋外殼の中には右方に開口した電池溝が設けられることを特徴とする内装職人用筆袋。
【請求項２】
前記測り部品は前記巻きチャンバの上下壁の間に固定的に取り付けられた固定柱も含み、前記糸巻き輪と前記固定柱との間にはトーションバネ部品が設けられ、前記糸巻き輪の外側には多重巻きの測り糸が巻き固定され、前記測り糸が左に前記糸巻き柱に一周巻いた後に左へ前記筆袋外殼から伸び出し、前記測り糸の左端には糸巻きブロックが連結され、前記カウント部品は前記回しチャンバの右側に位置しているカウントチャンバを含み、前記カウントチャンバと前記回しチャンバとの間には回転ボールが回転できるように取り付けられ、前記回転ボールの左端面には左側板が連結され、前記回転ボールの右端面には右側板が連結され、前記左側板の端部にはヒンジ板がヒンジにより連結され、前記カウントチャンバの前側壁の中には弾力チャンバＡが設けられ、前記右側板と前記弾力チャンバＡの前側壁とが弾力が伝達できるように連結され、前記カウントチャンバの後側壁の中には弾力チャンバＢが設けられ、前記弾力チャンバＢの中にはスライドブロックが弾力が伝達できるように取り付けられ、前記スライドブロックの端面には反応ブロックが設けられ、前記カウントチャンバの右側にはカウントブロックが設けられ、前記筆袋外殼の左側端面には表示画面が設けられ、前記筆袋外殼の右端面にはクリアスイッチが設けられ、糸巻きブロックを引く時に、糸巻き輪と糸巻き柱とを回転連動させ、糸巻き柱が回しロッドを回転連動させ、回しロッドが左側板と回転ボールとを回転連動させ、回転ボールが右側板を回転連動させ、右側板と反応ブロックとが接触するたびに、カウントブロックが一回カウントすることを特徴とする請求項１に記載の内装職人用筆袋。
【請求項３】
前記伸縮部品は前記筆袋外殼の中に位置している上に開口した伸縮溝も含み、前記伸縮溝の内壁には回転スリーブが回転できるように取り付けられ、前記回転スリーブの外側端面には回転ブロックが設けられ、前記伸縮溝の底壁には位置制限板が設けられ、前記ねじ山台が前記回転スリーブの中にねじ山によって係合し取り付けられ、前記ねじ山台と前記位置制限板とが接触しており、前記ねじ山台の頂部端面には六つの引掛りブロックがヒンジによって取り付けられ、前記鉛筆が前記引掛りブロックによって前記ねじ山台にしっかりと固定され、回転ブロックを回して回転スリーブを同期に回転連動させ、回転スリーブがねじ山による係合を通じてねじ山台を上に移動連動させ、鉛筆を上に移動連動させることを特徴とする請求項１に記載の内装職人用筆袋。
【請求項４】
前記ねじ回し部品は前記筆袋外殼の前側端面の中に位置している上に開口した反転チャンバを含み、前記反転チャンバの左右壁の間には反転ヘッドが回転できるように取り付けられ、前記挿し連結穴の頂壁には磁石が設けられ、前記スライドケースが前記筆袋外殼の中にスライドできるように取り付けられ、前記スライドケースの中には保存チャンバが設けられ、前記保存チャンバの底壁には固定板が固定的に設けられ、前記固定板の右端面と前記保存チャンバの左右壁にはベルトが設けられ、前記ねじ回しヘッドは前記ベルトの中に置くことができ、前記ベルトと前記磁石とが磁力によって接続されることができ、スライドケースをスライドさせてねじ回しヘッドを取り出し、反転ヘッドを反転させた後にねじ回しヘッドを挿し連結穴の中に挿すことを特徴とする請求項１に記載の内装職人用筆袋。
【発明の詳細な説明】
【技術分野】
【０００１】
本発明は筆袋分野を取り上げて、具体的には内装職人用筆袋である。
【背景技術】
【０００２】
内装職人が家の内装工事をする時に、鉛筆、ねじ回し、巻き尺などの道具が常に必要とされ、しかし道具箱に置かれたこれらの道具を探すことが面倒なことであり、取り出した後にどこかに置き忘れることもあり、鉛筆がぶつかられて折れやすく、またねじも様々な種類と大きさがあり、巻き尺を使用する時にも数値を見間違いやすく、一回測っては一回記録しなければいけなく、様々な不便なところが仕事を影響する。
【先行技術文献】
【特許文献】
【０００３】
【特許文献１】中国特許出願公開第１０４８２８４０６号明細書
【発明の概要】
【発明が解決しようとする課題】
【０００４】
本発明の目的は内装職人用筆袋を提供し、それは上記の現在の技術中の問題を解決できる。
【課題を解決するための手段】
【０００５】
本発明の内装職人用筆袋は、筆袋外殼を含み、前記筆袋外殼の底部には長さを測れる測り部品が設けられ、前記測り部品は前記筆袋外殼の中に位置している巻きチャンバを含み、前記巻きチャンバの上下壁には対称的な回転輪が設けられ、前記回転輪の間には糸巻き輪が回転できるように取り付けられ、前記巻きチャンバの上方には回しチャンバが設けられ、前記巻きチャンバの底壁には回転軸が回転できるように取り付けられ、前記回転軸には糸巻き柱が設けられ、前記回転軸が前記回しチャンバの中に入り、前記回しチャンバの底壁の中にはラチェットスリーブが回転できるように取り付けられ、前記ラチェットスリーブと前記回転軸とがラチェットにより係合され、前記ラチェットスリーブの外側には均一に分布されている回しロッドが設けられ、前記回しチャンバの右側壁にカウント部品が設けられ、前記カウント部品は通り過ぎた前記回しロッドの個数を記録することができ、前記筆袋外殼の中には伸縮部品が設けられ、前記伸縮部品は鉛筆と前記鉛筆を固定できるねじ山台とを含み、前記ねじ山台の上下移動により前記鉛筆を同期に伸縮連動させ、前記伸縮部品の右側には各種類のねじを締めるねじ回し部品が設けられ、前記ねじ回し部品は挿し連結ヘッドとスライドケースとを含み、前記挿し連結ヘッドの中には下方に開口した挿し連結穴が設けられ、前記スライドケースの中には三列の各種類のねじ回しヘッドが設けられ、前記ねじ回しヘッドと前記挿し連結穴とが挿し連結されることができ、各種類のねじに対応でき、前記筆袋外殼の外側端面には引掛りバックルが設けられ、前記筆袋外殼の中には右方に開口した電池溝が設けられる。
【０００６】
更の技術プラン、前記測り部品は前記巻きチャンバの上下壁の間に固定的に取り付けられた固定柱も含み、前記糸巻き輪と前記固定柱との間にはトーションバネ部品が設けられ、前記糸巻き輪の外側には多重巻きの測り糸が巻き固定され、前記測り糸が左に前記糸巻き柱に一周巻いた後に左へ前記筆袋外殼から伸び出し、前記測り糸の左端には糸巻きブロックが連結され、前記カウント部品は前記回しチャンバの右側に位置しているカウントチャンバを含み、前記カウントチャンバと前記回しチャンバとの間には回転ボールが回転できるように取り付けられ、前記回転ボールの左端面には左側板が連結され、前記回転ボールの右端面には右側板が連結され、前記左側板の端部にはヒンジ板がヒンジにより連結され、前記カウントチャンバの前側壁の中には弾力チャンバＡが設けられ、前記右側板と前記弾力チャンバＡの前側壁とが弾力が伝達できるように連結され、前記カウントチャンバの後側壁の中には弾力チャンバＢが設けられ、前記弾力チャンバＢの中にはスライドブロックが弾力が伝達できるように取り付けられ、前記スライドブロックの端面には反応ブロックが設けられ、前記カウントチャンバの右側にはカウントブロックが設けられ、前記筆袋外殼の左側端面には表示画面が設けられ、前記筆袋外殼の右端面にはクリアスイッチが設けられる。
【０００７】
更の技術プラン、前記伸縮部品は前記筆袋外殼の中に位置している上に開口した伸縮溝も含み、前記伸縮溝の内壁には回転スリーブが回転できるように取り付けられ、前記回転スリーブの外側端面には回転ブロックが設けられ、前記伸縮溝の底壁には位置制限板が設けられ、前記ねじ山台が前記回転スリーブの中にねじ山によって係合し取り付けられ、前記ねじ山台と前記位置制限板とが接触しており、前記ねじ山台の頂部端面には六つの引掛りブロックがヒンジによって取り付けられ、前記鉛筆が前記引掛りブロックによって前記ねじ山台にしっかりと固定される。
【０００８】
更の技術プラン、前記ねじ回し部品は前記筆袋外殼の前側端面の中に位置している上に開口した反転チャンバを含み、前記反転チャンバの左右壁の間には反転ヘッドが回転できるように取り付けられ、前記挿し連結穴の頂壁には磁石が設けられ、前記スライドケースが前記筆袋外殼の中にスライドできるように取り付けられ、前記スライドケースの中には保存チャンバが設けられ、前記保存チャンバの底壁には固定板が固定的に設けられ、前記固定板の右端面と前記保存チャンバの左右壁にはベルトが設けられ、前記ねじ回しヘッドは前記ベルトの中に置くことができ、前記ベルトと前記磁石とが磁力によって接続されることができる。
【発明の効果】
【０００９】
本発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくく、伸縮が便利であり、普及価値がある。
【図面の簡単な説明】
【００１０】
【図１】図１は本発明の全体構成略図
【図２】図２は図１のＡの拡大構成略図
【図３】図３は図２のＢ−Ｂの断面構成略図
【発明を実施するための形態】
【００１１】
以下、図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の内装職人用筆袋は、筆袋外殼１１を含み、前記筆袋外殼１１の底部には長さを測れる測り部品９０１が設けられ、前記測り部品９０１は前記筆袋外殼１１の中に位置している巻きチャンバ４９を含み、前記巻きチャンバ４９の上下壁には対称的な回転輪５２が設けられ、前記回転輪５２の間には糸巻き輪５０が回転できるように取り付けられ、前記巻きチャンバ４９の上方には回しチャンバ４２が設けられ、前記巻きチャンバ４９の底壁には回転軸４５が回転できるように取り付けられ、前記回転軸４５には糸巻き柱４８が設けられ、前記回転軸４５が前記回しチャンバ４２の中に入り、前記回しチャンバ４２の底壁の中にはラチェットスリーブ４４が回転できるように取り付けられ、前記ラチェットスリーブ４４と前記回転軸４５とがラチェットにより係合され、前記ラチェットスリーブ４４の外側には均一に分布されている回しロッド４３が設けられ、前記回しチャンバ４２の右側壁にカウント部品９０２が設けられ、前記カウント部品９０２は通り過ぎた前記回しロッド４３の個数を記録することができ、前記筆袋外殼１１の中には伸縮部品９０３が設けられ、前記伸縮部品９０３は鉛筆１５と前記鉛筆１５を固定できるねじ山台４０とを含み、前記ねじ山台４０の上下移動により前記鉛筆１５を同期に伸縮連動させ、前記伸縮部品９０３の右側には各種類のねじを締めるねじ回し部品９０４が設けられ、前記ねじ回し部品９０４は挿し連結ヘッド２８とスライドケース３７とを含み、前記挿し連結ヘッド２８の中には下方に開口した挿し連結穴３１が設けられ、前記スライドケース３７の中には三列の各種類のねじ回しヘッド３４が設けられ、前記ねじ回しヘッド３４と前記挿し連結穴３１とが挿し連結されることができ、各種類のねじに対応でき、前記筆袋外殼１１の外側端面には引掛りバックル２０が設けられ、前記筆袋外殼１１の中には右方に開口した電池溝５３が設けられる。
【００１３】
前記測り部品９０１は前記巻きチャンバ４９の上下壁の間に固定的に取り付けられた固定柱５４も含み、前記糸巻き輪５０と前記固定柱５４との間にはトーションバネ部品５１が設けられ、前記糸巻き輪５０の外側には多重巻きの測り糸４７が巻き固定され、前記測り糸４７が左に前記糸巻き柱４８に一周巻いた後に左へ前記筆袋外殼１１から伸び出し、前記測り糸４７の左端には糸巻きブロック４６が連結され、前記カウント部品９０２は前記回しチャンバ４２の右側に位置しているカウントチャンバ６１を含み、前記カウントチャンバ６１と前記回しチャンバ４２との間には回転ボール５６が回転できるように取り付けられ、前記回転ボール５６の左端面には左側板６０が連結され、前記回転ボール５６の右端面には右側板６２が連結され、前記左側板６０の端部にはヒンジ板６３がヒンジにより連結され、前記カウントチャンバ６１の前側壁の中には弾力チャンバＡ５９が設けられ、前記右側板６２と前記弾力チャンバＡ５９の前側壁とが弾力が伝達できるように連結され、前記カウントチャンバ６１の後側壁の中には弾力チャンバＢ５７が設けられ、前記弾力チャンバＢ５７の中にはスライドブロック５８が弾力が伝達できるように取り付けられ、前記スライドブロック５８の端面には反応ブロック６５が設けられ、前記カウントチャンバ６１の右側にはカウントブロック５５が設けられ、前記筆袋外殼１１の左側端面には表示画面１８が設けられ、前記筆袋外殼１１の右端面にはクリアスイッチ３９が設けられ、糸巻きブロック４６を引く時に、糸巻き輪５０と糸巻き柱４８とを回転連動させ、糸巻き柱４８が回しロッド４３を回転連動させ、回しロッド４３が左側板６０と回転ボール５６とを回転連動させ、回転ボール５６が右側板６２を回転連動させ、右側板６２と反応ブロック６５とが接触するたびに、カウントブロック５５が一回カウントする。
【００１４】
前記伸縮部品９０３は前記筆袋外殼１１の中に位置している上に開口した伸縮溝１４も含み、前記伸縮溝１４の内壁には回転スリーブ１３が回転できるように取り付けられ、前記回転スリーブ１３の外側端面には回転ブロック１６が設けられ、前記伸縮溝１４の底壁には位置制限板１２が設けられ、前記ねじ山台４０が前記回転スリーブ１３の中にねじ山によって係合し取り付けられ、前記ねじ山台４０と前記位置制限板１２とが接触しており、前記ねじ山台４０の頂部端面には六つの引掛りブロック３８がヒンジによって取り付けられ、前記鉛筆１５が前記引掛りブロック３８によって前記ねじ山台４０にしっかりと固定され、回転ブロック１６を回して回転スリーブ１３を同期に回転連動させ、回転スリーブ１３がねじ山による係合を通じてねじ山台４０を上に移動連動させ、鉛筆１５を上に移動連動させる。
【００１５】
前記ねじ回し部品９０４は前記筆袋外殼１１の前側端面の中に位置している上に開口した反転チャンバ２２を含み、前記反転チャンバ２２の左右壁の間には反転ヘッド２３が回転できるように取り付けられ、前記挿し連結穴３１の頂壁には磁石３０が設けられ、前記スライドケース３７が前記筆袋外殼１１の中にスライドできるように取り付けられ、前記スライドケース３７の中には保存チャンバ３３が設けられ、前記保存チャンバ３３の底壁には固定板３６が固定的に設けられ、前記固定板３６の右端面と前記保存チャンバ３３の左右壁にはベルト３５が設けられ、前記ねじ回しヘッド３４は前記ベルト３５の中に置くことができ、前記ベルト３５と前記磁石３０とが磁力によって接続されることができ、スライドケース３７をスライドさせてねじ回しヘッド３４を取り出し、反転ヘッド２３を反転させた後にねじ回しヘッド３４を挿し連結穴３１の中に挿す。
【００１６】
使用する時、測る時、糸巻きブロック４６を引いて測り始める時、糸巻き輪５０と糸巻き柱４８を回転連動させ、糸巻き輪５０が回転した後にトーションバネ部品５１が位置エネルギーを貯め始め、糸巻き柱４８が回転軸４５を回転連動させ、回転軸４５がラチェットスリーブ４４と回しロッド４３とを回転連動させ、回しロッド４３が左側板６０と回転ボール５６を回転連動させ、回転ボール５６が右側板６２を回転連動させ、右側板６２が反応ブロック６５に接触するたびにカウントブロック５５が一回カウントし、一回のカウントは二ミリを意味し、カウントの結果は表示画面１８に表示され、糸巻きブロック４６を放した後にトーションバネ部品５１により糸巻き輪５０が逆方向に回転して測り糸４７を回収し、糸巻き柱４８が逆方向に回転し、ラチェットスリーブ４４を回転連動させなく、幾度測ったデーターが常に表示画面１８に記録されており、クリアスイッチ３９を押すことによってデーターをクリアできる。
【００１７】
回転ブロック１６を回して回転スリーブ１３を同期に回転連動させ、回転スリーブ１３がねじ山係合によりねじ山台４０を上に移動連動させ、鉛筆１５を上に移動連動させ、鉛筆１５を取り替える必要がある時、ねじ山台４０を頂端まで移動させた後に引掛りブロック３８を反転させ鉛筆１５との引掛りを解除することができる。
【００１８】
スライドケース３７をスライドさせてねじ回しヘッド３４を取り出し、反転ヘッド２３を反転させた後にねじ回しヘッド３４を挿し連結穴３１の中に挿し、磁石３０がねじ山ヘッド３４を吸着し、固定を完成する。
【００１９】
本発明の有益効果は：本発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくく、伸縮が便利であり、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175072.tif 000003
【図２】
2020175072.tif 000004
【図３】
2020175072.tif 000005
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
筆袋外殼を含み、前記筆袋外殼の底部には長さを測れる測り部品が設けられ、前記測り部品は前記筆袋外殼の中に位置している巻きチャンバを含み、前記巻きチャンバの上下壁には対称的な回転輪が設けられ、前記回転輪の間には糸巻き輪が回転できるように取り付けられ、前記巻きチャンバの上方には回しチャンバが設けられ、前記回しチャンバの底壁には回転軸が回転できるように取り付けられ、前記回転軸には糸巻き柱が設けられ、前記回転軸が前記回しチャンバの中に入り、前記回しチャンバの中にはラチェットスリーブが回転できるように取り付けられ、前記ラチェットスリーブと前記回転軸とがラチェットにより係合され、前記ラチェットスリーブの外側には均一に分布されている回しロッドが設けられ、前記回しチャンバの右側壁にカウント部品が設けられ、前記カウント部品は通り過ぎた前記回しロッドの個数を記録することができ、前記筆袋外殼の中には伸縮部品が設けられ、前記伸縮部品は鉛筆と前記鉛筆を固定できるねじ山台とを含み、前記ねじ山台の上下移動により前記鉛筆を同期に伸縮連動させ、前記伸縮部品の右側には各種類のねじを締めるねじ回し部品が設けられ、前記ねじ回し部品は挿し連結ヘッドとスライドケースとを含み、前記挿し連結ヘッドの中には下方に開口した挿し連結穴が設けられ、前記スライドケースの中には三列の各種類のねじ回しヘッドが設けられ、前記ねじ回しヘッドと前記挿し連結穴とが挿し連結されることができ、各種類のねじに対応でき、前記筆袋外殼の外側端面には引掛りバックルが設けられ、前記筆袋外殼の中には右方に開口した電池溝が設けられることを特徴とする内装職人用筆袋。
【請求項２】
前記測り部品は前記巻きチャンバの上下壁の間に固定的に取り付けられた固定柱も含み、前記糸巻き輪と前記固定柱との間にはトーションバネ部品が設けられ、前記糸巻き輪の外側には多重巻きの測り糸が巻き固定され、前記測り糸が左に前記糸巻き柱に一周巻いた後に左へ前記筆袋外殼から伸び出し、前記測り糸の左端には糸巻きブロックが連結され、前記カウント部品は前記回しチャンバの右側に位置しているカウントチャンバを含み、前記カウントチャンバと前記回しチャンバとの間には回転ボールが回転できるように取り付けられ、前記回転ボールの左端面には左側板が連結され、前記回転ボールの右端面には右側板が連結され、前記左側板の端部にはヒンジ板がヒンジにより連結され、前記カウントチャンバの前側壁の中には弾力チャンバＡが設けられ、前記右側板と前記弾力チャンバＡの前側壁とが弾力が伝達できるように連結され、前記カウントチャンバの後側壁の中には弾力チャンバＢが設けられ、前記弾力チャンバＢの中にはスライドブロックが弾力が伝達できるように取り付けられ、前記スライドブロックの端面には反応ブロックが設けられ、前記カウントチャンバの右側にはカウントブロックが設けられ、前記筆袋外殼の左側端面には表示画面が設けられ、前記筆袋外殼の右端面にはクリアスイッチが設けられ、糸巻きブロックを引く時に、糸巻き輪と糸巻き柱とを回転連動させ、糸巻き柱が回しロッドを回転連動させ、回しロッドが左側板と回転ボールとを回転連動させ、回転ボールが右側板を回転連動させ、右側板と反応ブロックとが接触するたびに、カウントブロックが一回カウントすることを特徴とする請求項１に記載の内装職人用筆袋。
【請求項３】
前記伸縮部品は前記筆袋外殼の中に位置している上に開口した伸縮溝も含み、前記伸縮溝の内壁には回転スリーブが回転できるように取り付けられ、前記回転スリーブの外側端面には回転ブロックが設けられ、前記伸縮溝の底壁には位置制限板が設けられ、前記ねじ山台が前記回転スリーブの中にねじ山によって係合し取り付けられ、前記ねじ山台と前記位置制限板とが接触しており、前記ねじ山台の頂部端面には六つの引掛りブロックがヒンジによって取り付けられ、前記鉛筆が前記引掛りブロックによって前記ねじ山台にしっかりと固定され、回転ブロックを回して回転スリーブを同期に回転連動させ、回転スリーブがねじ山による係合を通じてねじ山台を上に移動連動させ、鉛筆を上に移動連動させることを特徴とする請求項１に記載の内装職人用筆袋。
【請求項４】
前記ねじ回し部品は前記筆袋外殼の前側端面の中に位置している上に開口した反転チャンバを含み、前記反転チャンバの左右壁の間には反転ヘッドが回転できるように取り付けられ、前記挿し連結穴の頂壁には磁石が設けられ、前記スライドケースが前記筆袋外殼の中にスライドできるように取り付けられ、前記スライドケースの中には保存チャンバが設けられ、前記保存チャンバの底壁には固定板が固定的に設けられ、前記固定板の右端面と前記保存チャンバの左右壁にはベルトが設けられ、前記ねじ回しヘッドは前記ベルトの中に置くことができ、前記ベルトと前記磁石とが磁力によって接続されることができ、スライドケースをスライドさせてねじ回しヘッドを取り出し、反転ヘッドを反転させた後にねじ回しヘッドを挿し連結穴の中に挿すことを特徴とする請求項１に記載の内装職人用筆袋。
【手続補正２】
【補正対象書類名】明細書
【補正対象項目名】全文
【補正方法】変更
【補正の内容】
【発明の詳細な説明】
【技術分野】
【０００１】
本発明は筆袋分野を取り上げて、具体的には内装職人用筆袋である。
【背景技術】
【０００２】
内装職人が家の内装工事をする時に、鉛筆、ねじ回し、巻き尺などの道具が常に必要とされ、しかし道具箱に置かれたこれらの道具を探すことが面倒なことであり、取り出した後にどこかに置き忘れることもあり、鉛筆がぶつかられて折れやすく、またねじも様々な種類と大きさがあり、巻き尺を使用する時にも数値を見間違いやすく、一回測っては一回記録しなければいけなく、様々な不便なところが仕事を影響する。
【先行技術文献】
【特許文献】
【０００３】
【特許文献１】中国特許出願公開第１０４８２８４０６号明細書
【発明の概要】
【発明が解決しようとする課題】
【０００４】
本発明の目的は内装職人用筆袋を提供し、それは上記の現在の技術中の問題を解決できる。
【課題を解決するための手段】
【０００５】
本発明の内装職人用筆袋は、筆袋外殼を含み、前記筆袋外殼の底部には長さを測れる測り部品が設けられ、前記測り部品は前記筆袋外殼の中に位置している巻きチャンバを含み、前記巻きチャンバの上下壁には対称的な回転輪が設けられ、前記回転輪の間には糸巻き輪が回転できるように取り付けられ、前記巻きチャンバの上方には回しチャンバが設けられ、前記回しチャンバの底壁には回転軸が回転できるように取り付けられ、前記回転軸には糸巻き柱が設けられ、前記回転軸が前記回しチャンバの中に入り、前記回しチャンバの中にはラチェットスリーブが回転できるように取り付けられ、前記ラチェットスリーブと前記回転軸とがラチェットにより係合され、前記ラチェットスリーブの外側には均一に分布されている回しロッドが設けられ、前記回しチャンバの右側壁にカウント部品が設けられ、前記カウント部品は通り過ぎた前記回しロッドの個数を記録することができ、前記筆袋外殼の中には伸縮部品が設けられ、前記伸縮部品は鉛筆と前記鉛筆を固定できるねじ山台とを含み、前記ねじ山台の上下移動により前記鉛筆を同期に伸縮連動させ、前記伸縮部品の右側には各種類のねじを締めるねじ回し部品が設けられ、前記ねじ回し部品は挿し連結ヘッドとスライドケースとを含み、前記挿し連結ヘッドの中には下方に開口した挿し連結穴が設けられ、前記スライドケースの中には三列の各種類のねじ回しヘッドが設けられ、前記ねじ回しヘッドと前記挿し連結穴とが挿し連結されることができ、各種類のねじに対応でき、前記筆袋外殼の外側端面には引掛りバックルが設けられ、前記筆袋外殼の中には右方に開口した電池溝が設けられる。
【０００６】
更の技術プラン、前記測り部品は前記巻きチャンバの上下壁の間に固定的に取り付けられた固定柱も含み、前記糸巻き輪と前記固定柱との間にはトーションバネ部品が設けられ、前記糸巻き輪の外側には多重巻きの測り糸が巻き固定され、前記測り糸が左に前記糸巻き柱に一周巻いた後に左へ前記筆袋外殼から伸び出し、前記測り糸の左端には糸巻きブロックが連結され、前記カウント部品は前記回しチャンバの右側に位置しているカウントチャンバを含み、前記カウントチャンバと前記回しチャンバとの間には回転ボールが回転できるように取り付けられ、前記回転ボールの左端面には左側板が連結され、前記回転ボールの右端面には右側板が連結され、前記左側板の端部にはヒンジ板がヒンジにより連結され、前記カウントチャンバの前側壁の中には弾力チャンバＡが設けられ、前記右側板と前記弾力チャンバＡの前側壁とが弾力が伝達できるように連結され、前記カウントチャンバの後側壁の中には弾力チャンバＢが設けられ、前記弾力チャンバＢの中にはスライドブロックが弾力が伝達できるように取り付けられ、前記スライドブロックの端面には反応ブロックが設けられ、前記カウントチャンバの右側にはカウントブロックが設けられ、前記筆袋外殼の左側端面には表示画面が設けられ、前記筆袋外殼の右端面にはクリアスイッチが設けられる。
【０００７】
更の技術プラン、前記伸縮部品は前記筆袋外殼の中に位置している上に開口した伸縮溝も含み、前記伸縮溝の内壁には回転スリーブが回転できるように取り付けられ、前記回転スリーブの外側端面には回転ブロックが設けられ、前記伸縮溝の底壁には位置制限板が設けられ、前記ねじ山台が前記回転スリーブの中にねじ山によって係合し取り付けられ、前記ねじ山台と前記位置制限板とが接触しており、前記ねじ山台の頂部端面には六つの引掛りブロックがヒンジによって取り付けられ、前記鉛筆が前記引掛りブロックによって前記ねじ山台にしっかりと固定される。
【０００８】
更の技術プラン、前記ねじ回し部品は前記筆袋外殼の前側端面の中に位置している上に開口した反転チャンバを含み、前記反転チャンバの左右壁の間には反転ヘッドが回転できるように取り付けられ、前記挿し連結穴の頂壁には磁石が設けられ、前記スライドケースが前記筆袋外殼の中にスライドできるように取り付けられ、前記スライドケースの中には保存チャンバが設けられ、前記保存チャンバの底壁には固定板が固定的に設けられ、前記固定板の右端面と前記保存チャンバの左右壁にはベルトが設けられ、前記ねじ回しヘッドは前記ベルトの中に置くことができ、前記ベルトと前記磁石とが磁力によって接続されることができる。
【発明の効果】
【０００９】
本発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくく、伸縮が便利であり、普及価値がある。
【図面の簡単な説明】
【００１０】
【図１】図１は本発明の全体構成略図
【図２】図２は図１のＡの拡大構成略図
【図３】図３は図２のＢ−Ｂの断面構成略図
【発明を実施するための形態】
【００１１】
以下、図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の内装職人用筆袋は、筆袋外殼１１を含み、前記筆袋外殼１１の底部には長さを測れる測り部品９０１が設けられ、前記測り部品９０１は前記筆袋外殼１１の中に位置している巻きチャンバ４９を含み、前記巻きチャンバ４９の上下壁には対称的な回転輪５２が設けられ、前記回転輪５２の間には糸巻き輪５０が回転できるように取り付けられ、前記巻きチャンバ４９の上方には回しチャンバ４２が設けられ、前記回しチャンバ４２の底壁には回転軸４５が回転できるように取り付けられ、前記回転軸４５には糸巻き柱４８が設けられ、前記回転軸４５が前記回しチャンバ４２の中に入り、前記回しチャンバ４２の中にはラチェットスリーブ４４が回転できるように取り付けられ、前記ラチェットスリーブ４４と前記回転軸４５とがラチェットにより係合され、前記ラチェットスリーブ４４の外側には均一に分布されている回しロッド４３が設けられ、前記回しチャンバ４２の右側壁にカウント部品９０２が設けられ、前記カウント部品９０２は通り過ぎた前記回しロッド４３の個数を記録することができ、前記筆袋外殼１１の中には伸縮部品９０３が設けられ、前記伸縮部品９０３は鉛筆１５と前記鉛筆１５を固定できるねじ山台４０とを含み、前記ねじ山台４０の上下移動により前記鉛筆１５を同期に伸縮連動させ、前記伸縮部品９０３の右側には各種類のねじを締めるねじ回し部品９０４が設けられ、前記ねじ回し部品９０４は挿し連結ヘッド２８とスライドケース３７とを含み、前記挿し連結ヘッド２８の中には下方に開口した挿し連結穴３１が設けられ、前記スライドケース３７の中には三列の各種類のねじ回しヘッド３４が設けられ、前記ねじ回しヘッド３４と前記挿し連結穴３１とが挿し連結されることができ、各種類のねじに対応でき、前記筆袋外殼１１の外側端面には引掛りバックル２０が設けられ、前記筆袋外殼１１の中には右方に開口した電池溝５３が設けられる。
【００１３】
前記測り部品９０１は前記巻きチャンバ４９の上下壁の間に固定的に取り付けられた固定柱５４も含み、前記糸巻き輪５０と前記固定柱５４との間にはトーションバネ部品５１が設けられ、前記糸巻き輪５０の外側には多重巻きの測り糸４７が巻き固定され、前記測り糸４７が左に前記糸巻き柱４８に一周巻いた後に左へ前記筆袋外殼１１から伸び出し、前記測り糸４７の左端には糸巻きブロック４６が連結され、前記カウント部品９０２は前記回しチャンバ４２の右側に位置しているカウントチャンバ６１を含み、前記カウントチャンバ６１と前記回しチャンバ４２との間には回転ボール５６が回転できるように取り付けられ、前記回転ボール５６の左端面には左側板６０が連結され、前記回転ボール５６の右端面には右側板６２が連結され、前記左側板６０の端部にはヒンジ板６３がヒンジにより連結され、前記カウントチャンバ６１の前側壁の中には弾力チャンバＡ５９が設けられ、前記右側板６２と前記弾力チャンバＡ５９の前側壁とが弾力が伝達できるように連結され、前記カウントチャンバ６１の後側壁の中には弾力チャンバＢ５７が設けられ、前記弾力チャンバＢ５７の中にはスライドブロック５８が弾力が伝達できるように取り付けられ、前記スライドブロック５８の端面には反応ブロック６５が設けられ、前記カウントチャンバ６１の右側にはカウントブロック５５が設けられ、前記筆袋外殼１１の左側端面には表示画面１８が設けられ、前記筆袋外殼１１の右端面にはクリアスイッチ３９が設けられ、糸巻きブロック４６を引く時に、糸巻き輪５０と糸巻き柱４８とを回転連動させ、糸巻き柱４８が回しロッド４３を回転連動させ、回しロッド４３が左側板６０と回転ボール５６とを回転連動させ、回転ボール５６が右側板６２を回転連動させ、右側板６２と反応ブロック６５とが接触するたびに、カウントブロック５５が一回カウントする。
【００１４】
前記伸縮部品９０３は前記筆袋外殼１１の中に位置している上に開口した伸縮溝１４も含み、前記伸縮溝１４の内壁には回転スリーブ１３が回転できるように取り付けられ、前記回転スリーブ１３の外側端面には回転ブロック１６が設けられ、前記伸縮溝１４の底壁には位置制限板１２が設けられ、前記ねじ山台４０が前記回転スリーブ１３の中にねじ山によって係合し取り付けられ、前記ねじ山台４０と前記位置制限板１２とが接触しており、前記ねじ山台４０の頂部端面には六つの引掛りブロック３８がヒンジによって取り付けられ、前記鉛筆１５が前記引掛りブロック３８によって前記ねじ山台４０にしっかりと固定され、回転ブロック１６を回して回転スリーブ１３を同期に回転連動させ、回転スリーブ１３がねじ山による係合を通じてねじ山台４０を上に移動連動させ、鉛筆１５を上に移動連動させる。
【００１５】
前記ねじ回し部品９０４は前記筆袋外殼１１の前側端面の中に位置している上に開口した反転チャンバ２２を含み、前記反転チャンバ２２の左右壁の間には反転ヘッド２３が回転できるように取り付けられ、前記挿し連結穴３１の頂壁には磁石３０が設けられ、前記スライドケース３７が前記筆袋外殼１１の中にスライドできるように取り付けられ、前記スライドケース３７の中には保存チャンバ３３が設けられ、前記保存チャンバ３３の底壁には固定板３６が固定的に設けられ、前記固定板３６の右端面と前記保存チャンバ３３の左右壁にはベルト３５が設けられ、前記ねじ回しヘッド３４は前記ベルト３５の中に置くことができ、前記ベルト３５と前記磁石３０とが磁力によって接続されることができ、スライドケース３７をスライドさせてねじ回しヘッド３４を取り出し、反転ヘッド２３を反転させた後にねじ回しヘッド３４を挿し連結穴３１の中に挿す。
【００１６】
使用する時、測る時、糸巻きブロック４６を引いて測り始める時、糸巻き輪５０と糸巻き柱４８を回転連動させ、糸巻き輪５０が回転した後にトーションバネ部品５１が位置エネルギーを貯め始め、糸巻き柱４８が回転軸４５を回転連動させ、回転軸４５がラチェットスリーブ４４と回しロッド４３とを回転連動させ、回しロッド４３が左側板６０と回転ボール５６を回転連動させ、回転ボール５６が右側板６２を回転連動させ、右側板６２が反応ブロック６５に接触するたびにカウントブロック５５が一回カウントし、一回のカウントは二ミリを意味し、カウントの結果は表示画面１８に表示され、糸巻きブロック４６を放した後にトーションバネ部品５１により糸巻き輪５０が逆方向に回転して測り糸４７を回収し、糸巻き柱４８が逆方向に回転し、ラチェットスリーブ４４を回転連動させなく、幾度測ったデーターが常に表示画面１８に記録されており、クリアスイッチ３９を押すことによってデーターをクリアできる。
【００１７】
回転ブロック１６を回して回転スリーブ１３を同期に回転連動させ、回転スリーブ１３がねじ山係合によりねじ山台４０を上に移動連動させ、鉛筆１５を上に移動連動させ、鉛筆１５を取り替える必要がある時、ねじ山台４０を頂端まで移動させた後に引掛りブロック３８を反転させ鉛筆１５との引掛りを解除することができる。
【００１８】
スライドケース３７をスライドさせてねじ回しヘッド３４を取り出し、反転ヘッド２３を反転させた後にねじ回しヘッド３４を挿し連結穴３１の中に挿し、磁石３０がねじ山ヘッド３４を吸着し、固定を完成する。
【００１９】
本発明の有益効果は：本発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくく、伸縮が便利であり、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年4月7日(2020.4.7)
【手続補正１】
【補正対象書類名】特許請求の範囲
【補正対象項目名】請求項４
【補正方法】変更
【補正の内容】
【請求項４】
前記ねじ回し部品は前記筆袋外殼の前側端面の中に位置している上に開口した反転チャンバを含み、前記反転チャンバの左右壁の間には反転ヘッドが回転できるように取り付けられ、前記挿し連結穴の頂壁には磁石が設けられ、前記スライドケースが前記筆袋外殼の中にスライドできるように取り付けられ、前記スライドケースの中には保存チャンバが設けられ、前記保存チャンバの底壁には固定板が固定的に設けられ、前記固定板の右端面と前記保存チャンバの左右壁にはベルトが設けられ、前記ねじ回しヘッドは前記ベルトの中に置くことができ、前記ねじ回しヘッドと前記磁石とが磁力によって接続されることができ、スライドケースをスライドさせてねじ回しヘッドを取り出し、反転ヘッドを反転させた後にねじ回しヘッドを挿し連結穴の中に挿すことを特徴とする請求項１に記載の内装職人用筆袋。
【手続補正２】
【補正対象書類名】明細書
【補正対象項目名】全文
【補正方法】変更
【補正の内容】
【発明の詳細な説明】
【技術分野】
【０００１】
本発明は筆袋分野を取り上げて、具体的には内装職人用筆袋である。
【背景技術】
【０００２】
内装職人が家の内装工事をする時に、鉛筆、ねじ回し、巻き尺などの道具が常に必要とされ、しかし道具箱に置かれたこれらの道具を探すことが面倒なことであり、取り出した後にどこかに置き忘れることもあり、鉛筆がぶつかられて折れやすく、またねじも様々な種類と大きさがあり、巻き尺を使用する時にも数値を見間違いやすく、一回測っては一回記録しなければいけなく、様々な不便なところが仕事を影響する。
【先行技術文献】
【特許文献】
【０００３】
【特許文献１】中国特許出願公開第１０４８２８４０６号明細書
【発明の概要】
【発明が解決しようとする課題】
【０００４】
本発明の目的は内装職人用筆袋を提供し、それは上記の現在の技術中の問題を解決できる。
【課題を解決するための手段】
【０００５】
本発明の内装職人用筆袋は、筆袋外殼を含み、前記筆袋外殼の底部には長さを測れる測り部品が設けられ、前記測り部品は前記筆袋外殼の中に位置している巻きチャンバを含み、前記巻きチャンバの上下壁には対称的な回転輪が設けられ、前記回転輪の間には糸巻き輪が回転できるように取り付けられ、前記巻きチャンバの上方には回しチャンバが設けられ、前記回しチャンバの底壁には回転軸が回転できるように取り付けられ、前記回転軸には糸巻き柱が設けられ、前記回転軸が前記回しチャンバの中に入り、前記回しチャンバの中にはラチェットスリーブが回転できるように取り付けられ、前記ラチェットスリーブと前記回転軸とがラチェットにより係合され、前記ラチェットスリーブの外側には均一に分布されている回しロッドが設けられ、前記回しチャンバの右側壁にカウント部品が設けられ、前記カウント部品は通り過ぎた前記回しロッドの個数を記録することができ、前記筆袋外殼の中には伸縮部品が設けられ、前記伸縮部品は鉛筆と前記鉛筆を固定できるねじ山台とを含み、前記ねじ山台の上下移動により前記鉛筆を同期に伸縮連動させ、前記伸縮部品の右側には各種類のねじを締めるねじ回し部品が設けられ、前記ねじ回し部品は挿し連結ヘッドとスライドケースとを含み、前記挿し連結ヘッドの中には下方に開口した挿し連結穴が設けられ、前記スライドケースの中には三列の各種類のねじ回しヘッドが設けられ、前記ねじ回しヘッドと前記挿し連結穴とが挿し連結されることができ、各種類のねじに対応でき、前記筆袋外殼の外側端面には引掛りバックルが設けられ、前記筆袋外殼の中には右方に開口した電池溝が設けられる。
【０００６】
更の技術プラン、前記測り部品は前記巻きチャンバの上下壁の間に固定的に取り付けられた固定柱も含み、前記糸巻き輪と前記固定柱との間にはトーションバネ部品が設けられ、前記糸巻き輪の外側には多重巻きの測り糸が巻き固定され、前記測り糸が左に前記糸巻き柱に一周巻いた後に左へ前記筆袋外殼から伸び出し、前記測り糸の左端には糸巻きブロックが連結され、前記カウント部品は前記回しチャンバの右側に位置しているカウントチャンバを含み、前記カウントチャンバと前記回しチャンバとの間には回転ボールが回転できるように取り付けられ、前記回転ボールの左端面には左側板が連結され、前記回転ボールの右端面には右側板が連結され、前記左側板の端部にはヒンジ板がヒンジにより連結され、前記カウントチャンバの前側壁の中には弾力チャンバＡが設けられ、前記右側板と前記弾力チャンバＡの前側壁とが弾力が伝達できるように連結され、前記カウントチャンバの後側壁の中には弾力チャンバＢが設けられ、前記弾力チャンバＢの中にはスライドブロックが弾力が伝達できるように取り付けられ、前記スライドブロックの端面には反応ブロックが設けられ、前記カウントチャンバの右側にはカウントブロックが設けられ、前記筆袋外殼の左側端面には表示画面が設けられ、前記筆袋外殼の右端面にはクリアスイッチが設けられる。
【０００７】
更の技術プラン、前記伸縮部品は前記筆袋外殼の中に位置している上に開口した伸縮溝も含み、前記伸縮溝の内壁には回転スリーブが回転できるように取り付けられ、前記回転スリーブの外側端面には回転ブロックが設けられ、前記伸縮溝の底壁には位置制限板が設けられ、前記ねじ山台が前記回転スリーブの中にねじ山によって係合し取り付けられ、前記ねじ山台と前記位置制限板とが接触しており、前記ねじ山台の頂部端面には六つの引掛りブロックがヒンジによって取り付けられ、前記鉛筆が前記引掛りブロックによって前記ねじ山台にしっかりと固定される。
【０００８】
更の技術プラン、前記ねじ回し部品は前記筆袋外殼の前側端面の中に位置している上に開口した反転チャンバを含み、前記反転チャンバの左右壁の間には反転ヘッドが回転できるように取り付けられ、前記挿し連結穴の頂壁には磁石が設けられ、前記スライドケースが前記筆袋外殼の中にスライドできるように取り付けられ、前記スライドケースの中には保存チャンバが設けられ、前記保存チャンバの底壁には固定板が固定的に設けられ、前記固定板の右端面と前記保存チャンバの左右壁にはベルトが設けられ、前記ねじ回しヘッドは前記ベルトの中に置くことができ、前記ねじ回しヘッドと前記磁石とが磁力によって接続されることができる。
【発明の効果】
【０００９】
本発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくく、伸縮が便利であり、普及価値がある。
【図面の簡単な説明】
【００１０】
【図１】図１は本発明の全体構成略図
【図２】図２は図１のＡの拡大構成略図
【図３】図３は図２のＢ−Ｂの断面構成略図
【発明を実施するための形態】
【００１１】
以下、図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の内装職人用筆袋は、筆袋外殼１１を含み、前記筆袋外殼１１の底部には長さを測れる測り部品９０１が設けられ、前記測り部品９０１は前記筆袋外殼１１の中に位置している巻きチャンバ４９を含み、前記巻きチャンバ４９の上下壁には対称的な回転輪５２が設けられ、前記回転輪５２の間には糸巻き輪５０が回転できるように取り付けられ、前記巻きチャンバ４９の上方には回しチャンバ４２が設けられ、前記回しチャンバ４２の底壁には回転軸４５が回転できるように取り付けられ、前記回転軸４５には糸巻き柱４８が設けられ、前記回転軸４５が前記回しチャンバ４２の中に入り、前記回しチャンバ４２の中にはラチェットスリーブ４４が回転できるように取り付けられ、前記ラチェットスリーブ４４と前記回転軸４５とがラチェットにより係合され、前記ラチェットスリーブ４４の外側には均一に分布されている回しロッド４３が設けられ、前記回しチャンバ４２の右側壁にカウント部品９０２が設けられ、前記カウント部品９０２は通り過ぎた前記回しロッド４３の個数を記録することができ、前記筆袋外殼１１の中には伸縮部品９０３が設けられ、前記伸縮部品９０３は鉛筆１５と前記鉛筆１５を固定できるねじ山台４０とを含み、前記ねじ山台４０の上下移動により前記鉛筆１５を同期に伸縮連動させ、前記伸縮部品９０３の右側には各種類のねじを締めるねじ回し部品９０４が設けられ、前記ねじ回し部品９０４は挿し連結ヘッド２８とスライドケース３７とを含み、前記挿し連結ヘッド２８の中には下方に開口した挿し連結穴３１が設けられ、前記スライドケース３７の中には三列の各種類のねじ回しヘッド３４が設けられ、前記ねじ回しヘッド３４と前記挿し連結穴３１とが挿し連結されることができ、各種類のねじに対応でき、前記筆袋外殼１１の外側端面には引掛りバックル２０が設けられ、前記筆袋外殼１１の中には右方に開口した電池溝５３が設けられる。
【００１３】
前記測り部品９０１は前記巻きチャンバ４９の上下壁の間に固定的に取り付けられた固定柱５４も含み、前記糸巻き輪５０と前記固定柱５４との間にはトーションバネ部品５１が設けられ、前記糸巻き輪５０の外側には多重巻きの測り糸４７が巻き固定され、前記測り糸４７が左に前記糸巻き柱４８に一周巻いた後に左へ前記筆袋外殼１１から伸び出し、前記測り糸４７の左端には糸巻きブロック４６が連結され、前記カウント部品９０２は前記回しチャンバ４２の右側に位置しているカウントチャンバ６１を含み、前記カウントチャンバ６１と前記回しチャンバ４２との間には回転ボール５６が回転できるように取り付けられ、前記回転ボール５６の左端面には左側板６０が連結され、前記回転ボール５６の右端面には右側板６２が連結され、前記左側板６０の端部にはヒンジ板６３がヒンジにより連結され、前記カウントチャンバ６１の前側壁の中には弾力チャンバＡ５９が設けられ、前記右側板６２と前記弾力チャンバＡ５９の前側壁とが弾力が伝達できるように連結され、前記カウントチャンバ６１の後側壁の中には弾力チャンバＢ５７が設けられ、前記弾力チャンバＢ５７の中にはスライドブロック５８が弾力が伝達できるように取り付けられ、前記スライドブロック５８の端面には反応ブロック６５が設けられ、前記カウントチャンバ６１の右側にはカウントブロック５５が設けられ、前記筆袋外殼１１の左側端面には表示画面１８が設けられ、前記筆袋外殼１１の右端面にはクリアスイッチ３９が設けられ、糸巻きブロック４６を引く時に、糸巻き輪５０と糸巻き柱４８とを回転連動させ、糸巻き柱４８が回しロッド４３を回転連動させ、回しロッド４３が左側板６０と回転ボール５６とを回転連動させ、回転ボール５６が右側板６２を回転連動させ、右側板６２と反応ブロック６５とが接触するたびに、カウントブロック５５が一回カウントする。
【００１４】
前記伸縮部品９０３は前記筆袋外殼１１の中に位置している上に開口した伸縮溝１４も含み、前記伸縮溝１４の内壁には回転スリーブ１３が回転できるように取り付けられ、前記回転スリーブ１３の外側端面には回転ブロック１６が設けられ、前記伸縮溝１４の底壁には位置制限板１２が設けられ、前記ねじ山台４０が前記回転スリーブ１３の中にねじ山によって係合し取り付けられ、前記ねじ山台４０と前記位置制限板１２とが接触しており、前記ねじ山台４０の頂部端面には六つの引掛りブロック３８がヒンジによって取り付けられ、前記鉛筆１５が前記引掛りブロック３８によって前記ねじ山台４０にしっかりと固定され、回転ブロック１６を回して回転スリーブ１３を同期に回転連動させ、回転スリーブ１３がねじ山による係合を通じてねじ山台４０を上に移動連動させ、鉛筆１５を上に移動連動させる。
【００１５】
前記ねじ回し部品９０４は前記筆袋外殼１１の前側端面の中に位置している上に開口した反転チャンバ２２を含み、前記反転チャンバ２２の左右壁の間には反転ヘッド２３が回転できるように取り付けられ、前記挿し連結穴３１の頂壁には磁石３０が設けられ、前記スライドケース３７が前記筆袋外殼１１の中にスライドできるように取り付けられ、前記スライドケース３７の中には保存チャンバ３３が設けられ、前記保存チャンバ３３の底壁には固定板３６が固定的に設けられ、前記固定板３６の右端面と前記保存チャンバ３３の左右壁にはベルト３５が設けられ、前記ねじ回しヘッド３４は前記ベルト３５の中に置くことができ、前記ねじ回しヘッド３４と前記磁石３０とが磁力によって接続されることができ、スライドケース３７をスライドさせてねじ回しヘッド３４を取り出し、反転ヘッド２３を反転させた後にねじ回しヘッド３４を挿し連結穴３１の中に挿す。
【００１６】
使用する時、測る時、糸巻きブロック４６を引いて測り始める時、糸巻き輪５０と糸巻き柱４８を回転連動させ、糸巻き輪５０が回転した後にトーションバネ部品５１が位置エネルギーを貯め始め、糸巻き柱４８が回転軸４５を回転連動させ、回転軸４５がラチェットスリーブ４４と回しロッド４３とを回転連動させ、回しロッド４３が左側板６０と回転ボール５６を回転連動させ、回転ボール５６が右側板６２を回転連動させ、右側板６２が反応ブロック６５に接触するたびにカウントブロック５５が一回カウントし、一回のカウントは二ミリを意味し、カウントの結果は表示画面１８に表示され、糸巻きブロック４６を放した後にトーションバネ部品５１により糸巻き輪５０が逆方向に回転して測り糸４７を回収し、糸巻き柱４８が逆方向に回転し、ラチェットスリーブ４４を回転連動させなく、幾度測ったデーターが常に表示画面１８に記録されており、クリアスイッチ３９を押すことによってデーターをクリアできる。
【００１７】
回転ブロック１６を回して回転スリーブ１３を同期に回転連動させ、回転スリーブ１３がねじ山係合によりねじ山台４０を上に移動連動させ、鉛筆１５を上に移動連動させ、鉛筆１５を取り替える必要がある時、ねじ山台４０を頂端まで移動させた後に引掛りブロック３８を反転させ鉛筆１５との引掛りを解除することができる。
【００１８】
スライドケース３７をスライドさせてねじ回しヘッド３４を取り出し、反転ヘッド２３を反転させた後にねじ回しヘッド３４を挿し連結穴３１の中に挿し、磁石３０がねじ山ヘッド３４を吸着し、固定を完成する。
【００１９】
本発明の有益効果は：本発明はねじ回し、鉛筆と測り機能を一つにまとめて、いずれも単独に使用することが便利であり、測ったデーターは表示画面に記録されることができ、測るたびに記録しなければならない状況を避け、異なるねじに対して異なるねじ回しヘッドを選択でき、鉛筆が内部に位置しており、鉛筆の先端が折られにくく、伸縮が便利であり、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。